(57)【要約】【課題】冷気が回転仕切体に当たることを抑制して、ヒートリークを低減した冷蔵庫を提供することを目的とする。【解決手段】冷蔵室の開口部を塞ぐように冷蔵庫箱体の左右に回転自在にそれぞれ枢支される第一の扉２ａと第二の扉２ｂと、第一の扉２ａに設けられて第一の扉２ａと第二の扉２ｂの隙間を塞ぐ回転仕切体１０と、を備えた冷蔵庫において、第一の扉２ａの扉内板には回転仕切体１０よりも冷蔵室側であって第二の扉２ｂ側に延在する冷気遮蔽板２２を設け、第二の扉２ｂの扉内板には冷気遮蔽板２２と対向して第二の扉２ｂの開閉時に回動する回動冷気遮蔽手段２３を設ける。【選択図】  図３
2013108706.tif 000002
【特許請求の範囲】
【請求項１】
冷蔵室の開口部を塞ぐように冷蔵庫箱体の左右に回転自在にそれぞれ枢支される第一の扉と第二の扉と、前記第一の扉に設けられて該第一の扉と前記第二の扉の隙間を塞ぐ回転仕切体と、を備えた冷蔵庫において、
前記第一の扉の扉内板には前記回転仕切体よりも前記冷蔵室側であって前記第二の扉側に延在する冷気遮蔽板を設け、前記第二の扉の扉内板には前記冷気遮蔽板と対向して該第二の扉の開閉時に回動する回動冷気遮蔽手段を設けたことを特徴とする冷蔵庫。
【請求項２】
前記冷気遮蔽板と前記回動冷気遮蔽手段は、前記第一の扉と前記第二の扉とを閉じた状態で接することを特徴とする、請求項１記載の冷蔵庫。
【請求項３】
前記回動冷気遮蔽手段の上端又は下端に円弧形状のガイド手段を設け、前記冷蔵室内上部には前記第二の扉の開閉時に該ガイド手段を回転動作させるガイドピンを設けたことを特徴とする、請求項１又は２記載の冷蔵庫。
【請求項４】
前記第二の扉が開いた状態で該第二の扉から離れる方向に前記回動冷気遮蔽手段を付勢する付勢手段を設けたことを特徴とする、請求項１乃至３のいずれかに記載の冷蔵庫。
【請求項５】
前記冷気遮蔽板と前記回動冷気遮蔽手段の少なくとも一方の先端は軟質部材であることを特徴とする、請求項１乃至４のいずれかに記載の冷蔵庫。
【発明の詳細な説明】
【技術分野】
【０００１】
本発明は、冷蔵庫に関する。
【背景技術】
【０００２】
特許文献１には、冷蔵庫本体の開口を閉塞する観音開き式扉において、その裏面周縁に設けられたガスケットと回転仕切体との当接部の庫内側に、回転仕切体の両側面と各扉の扉内側材との隙間をそれぞれシールするシール部材を設けて、該シール部材と上記ガスケットとによるダブルシール構造とする構成が記載されている。
【０００３】
特許文献２には、第１の扉に開閉動作に伴って回動する仕切本体を設けた冷蔵庫等の扉において、背面仕切枠の側面に縦リブを設けることにより、熱侵入を抑える構成が記載されている。
【先行技術文献】
【特許文献】
【０００４】
【特許文献１】特開２００４−３５３９４３号公報
【特許文献２】特開平１０−４７８４４号公報
【発明の概要】
【発明が解決しようとする課題】
【０００５】
しかしながら、冷蔵庫の貯蔵室内の冷気は奥側から前方に向かって流れる構成が一般的であり、この冷気が回転仕切体背面に直接当たることによって回転仕切体が冷却される。特許文献１のダブルシール構造や特許文献２の縦リブ構造では、回転仕切体側面からの冷却を防止することはできるが、側面以外の部分から冷気が回り込むことによって、回転仕切体が冷却されてしまう。
【０００６】
また、特許文献２の縦リブ構造は複雑であり耐久性が問題になる。
【０００７】
そこで本発明は、冷気が回転仕切体に当たることを抑制して、ヒートリークを低減した冷蔵庫を提供することを目的とする。
【課題を解決するための手段】
【０００８】
上記課題を解決するために、例えば特許請求の範囲に記載の構成を採用する。本願は上記課題を解決する手段を複数含んでいるが、その一例を挙げるならば、冷蔵室の開口部を塞ぐように冷蔵庫箱体の左右に回転自在にそれぞれ枢支される第一の扉と第二の扉と、前記第一の扉に設けられて該第一の扉と前記第二の扉の隙間を塞ぐ回転仕切体と、を備えた冷蔵庫において、前記第一の扉の扉内板には前記回転仕切体よりも前記冷蔵室側であって前記第二の扉側に延在する冷気遮蔽板を設け、前記第二の扉の扉内板には前記冷気遮蔽板と対向して該第二の扉の開閉時に回動する回動冷気遮蔽手段を設ける。
【発明の効果】
【０００９】
本発明によれば、冷気が回転仕切体に当たることを抑制して、ヒートリークを低減した冷蔵庫を提供することができる。
【図面の簡単な説明】
【００１０】
【図１】本発明の実施形態に係る冷蔵庫の正面外形図。
【図２】図１の冷蔵庫の扉を開放した状態の斜視図。
【図３】冷蔵室扉及び回転仕切体要部の水平断面図。
【図４】冷蔵室扉裏面の斜視図。
【図５】冷蔵室扉及び回転仕切体要部の水平断面図。
【図６】冷蔵室扉が閉状態の水平断面図。
【発明を実施するための形態】
【００１１】
本発明に係る冷蔵庫の実施形態を、図１から図６を参照しながら説明する。図１は、本実施形態の冷蔵庫の正面外形図であり、図１に示すように、本実施形態の冷蔵庫１は、上方から、冷蔵室２、同じ高さで左右に並んだ製氷室３と上段冷凍室４、下段冷凍室５、野菜室６から構成されている。冷蔵室２は前方側に、左右に分割された観音開きの冷蔵室扉２ａ、２ｂを備え、製氷室３、上段冷凍室４、下段冷凍室５、野菜室６は、それぞれ引き出し式の製氷室扉３ａ、上段冷凍室扉４ａ、下段冷凍室扉５ａ、野菜室扉６ａを備えている。
【００１２】
図２は冷蔵室の第一の扉２ａと第二の扉２ｂを開放したときの斜視図である。冷蔵庫１の庫外と庫内は、発泡断熱材（発泡ポリウレタン）を充填することにより形成される断熱箱体７により隔てられている。
【００１３】
冷蔵室の第一の扉２ａと第二の扉２ｂは断熱箱体７の左右にヒンジ８ａ、８ｂによって回動自在にとりつけられている。冷蔵室扉８ａ、８ｂは金属の表面板と裏面は合成樹脂の内面板で構成されており、表面板と内面板の内部には表面板発泡断熱材（発泡ポリウレタン）が充填されている。
【００１４】
回転仕切体１０は冷蔵庫開口高さ程度の長さであり、第一の扉２ａにヒンジ１２により扉内面板の土手２０に回動自在に取り付けられている。第一の扉２ａと第二扉２ｂの冷蔵室扉が閉状態時に扉間の隙間を閉塞する。
【００１５】
冷蔵室の天井の開口近くには回転仕切体１０の回動を案内するガイドピン１１が設けてある。
【００１６】
扉の裏面全周には磁石１９が内蔵されたパッキン９が取り付けられており、扉が閉状態のときは断熱箱体７の開口縁部の鉄板と回転仕切体１０に密着し庫内の気密性を保つことができる。
【００１７】
図３は冷蔵室の第一の扉２ａと第二の扉２ｂが閉状態の扉間の水平断面図である。回転仕切体１０は断熱材を収納するコの字型の樹脂ケース１５、スチロフォームなどの断熱材１６、表面の鉄板１７から構成される。鉄板１７と断熱材１６との間には回転仕切体表面を過熱するための露付き防止ヒータ１８が設けてある。
【００１８】
回転仕切体１０の上端部には冷蔵室天井に設けられたガイドピン１１が侵入するための図３の破線で示すような円弧形状のガイド溝１３が形成されている。また扉内面板と回転仕切体１０はばね１４で係合されており、回転仕切体１０が所定の位置よりも前方にある場合は前方（時計回り）に回転し、所定の位置よりも後方にある場合は後方（反時計回り）に回転するように力が働くようにばねの力が働く。
【００１９】
扉が閉動作するときは、回転仕切体１０上端部のガイド溝１３に冷蔵室天井に設けてあるガイドピン１１が侵入し、ガイドピンがガイド溝の円弧状の手前側凸部を押していくことにより回転仕切体が時計周りに回転する。扉が完全に閉じると、回転仕切体１０は扉表面と水平方向になり扉裏面に設けたパッキン９との受面を形成する。
【００２０】
扉が開動作するときは冷蔵室天井のガイドピン１１がガイド溝１３から退出していくときにガイド溝１３の奥側凹部を押していくことにより回転仕切体１０が半時計周りに回転する。扉が開いていき回転仕切体が所定の角度になったところでばね１４の力により、回転仕切体１０は扉表面と垂直な状態（土手２０と平行）になる。
【００２１】
回転仕切体１０が取り付けられている第一の扉２ａの扉内板土手２０には樹脂部材で形成された固定の冷気遮蔽板２２が設置しており、冷蔵庫天井に設けた回転仕切体１０用のガイドピン１１よりも低い位置から冷蔵庫底面までの長さがある。固定の冷気遮蔽板２２の扉内面板土手２０への取り付け位置は、回転仕切体１０が扉表面と垂直方向まで回転したときにぶつからない位置に配置する。また幅寸法は第二の扉２ｂを開閉動作する時に他方の扉に接触しない長さにする。
【００２２】
図４は回転仕切体が設けられていない方の第二の扉２ｂの裏面の斜視図である。樹脂部材で形成され冷蔵庫開口高さ程度の長さの回動冷気遮蔽手段２３がヒンジ２５により扉内面板の土手２１に回動自在に取り付けられている。
【００２３】
ヒンジ２５の回転軸には付勢手段であるコイルばね３０が取り付けられており、回動冷気遮蔽手段２３が半時計周りに回転するように力が働いている。これにより第二の扉２ｂが開状態の時には、図４に示すように回動冷気遮蔽手段２３は扉内面板２１に取り付けられたポケット２６に当たり扉表面と垂直程度、すなわち第二の扉２ｂから離れる方向に付勢されるため、扉を閉動作するときに第一の扉２ａに接触することがない。
【００２４】
図５は第二の扉２ｂが閉動作しているときの冷蔵室内上部付近の水平断面図である。回動自在な回動冷気遮蔽手段２３の上端部には半円形状のしたガイド手段２４が設けてあり、扉が閉動作するときは冷蔵庫天井に設けられた冷気遮蔽板用のガイド２７にこのガイド手段２４を押し当てていくことにより回動冷気遮蔽手段２３が半時計周りに回転し、扉が完全に閉状態になったときには扉表面と水平な角度に固定される。
【００２５】
また固定の冷気遮蔽板２２と回転自在な回動冷気遮蔽手段２３の幅寸法を、両扉が閉状態のときに接触するような長さにすれば、冷蔵室内から直接当たる冷気はほぼなくなるためヒートリーク低減効果を大きくすることができる。
【００２６】
ただし、固定の冷気遮蔽板２２の幅寸法をあまり大きくしすぎると固定の冷気遮蔽板２２と第二の扉２ｂとのクリアランスがあまりなく扉の衝突の可能性が増え、また回動自在な回動冷気遮蔽手段２３の幅寸法を大きくしたときに回動冷気遮蔽手段２３が使用者のポケットの出し入れ動作の邪魔になる場合がある。このため、図６に示すように冷気遮蔽板２２、回動冷気遮蔽手段２３の先端をヒレパッキン２８、２９等の軟質部材で形成し、両扉が閉状態のときは軟質部材同士が接触するような寸法にしておく。これにより、扉と冷気遮蔽板が衝突し破損することを防止することができヒートリーク低減効果も得ることができる。なお、冷気遮蔽板２２、回動冷気遮蔽手段２３の少なくともいずれかの先端を軟質部材で構成すればよく、これによって接触による破損を防止して、シール性を向上することができる。
【００２７】
以上説明したように、本発明は、冷蔵室の開口部を塞ぐように冷蔵庫箱体の左右に回転自在にそれぞれ枢支される第一の扉と第二の扉と、前記第一の扉に設けられて該第一の扉と前記第二の扉の隙間を塞ぐ回転仕切体と、を備えた冷蔵庫において、前記第一の扉の扉内板には前記回転仕切体よりも前記冷蔵室側であって前記第二の扉側に延在する冷気遮蔽板を設け、前記第二の扉の扉内板には前記冷気遮蔽板と対向して該第二の扉の開閉時に回動する回動冷気遮蔽手段を設ける。これにより、観音開き式扉の扉間のヒートリークを低減でき省電力性能を向上することができる。
【００２８】
また、前記冷気遮蔽板と前記回動冷気遮蔽手段は、前記第一の扉と前記第二の扉とを閉じた状態で接する。これにより、回転仕切体に当たる冷蔵室からの冷気を抑制しヒートリークをより低減できる。
【００２９】
また、前記回動冷気遮蔽手段の上端又は下端に円弧形状のガイド手段を設け、前記冷蔵室内上部には前記第二の扉の開閉時に該ガイド手段を回転動作させるガイドピンを設ける。これにより、扉が閉状態時には回動自在な回動冷気遮蔽手段が確実に冷蔵庫からの冷気を遮蔽するような向きに保持することができる。
【００３０】
また、前記第二の扉が開いた状態で該第二の扉から離れる方向に前記回動冷気遮蔽手段を付勢する付勢手段を設ける。これにより、回動冷気遮蔽手段が、扉開動時に他方の扉と接触することがない。
【００３１】
また、前記冷気遮蔽板と前記回動冷気遮蔽手段の少なくとも一方の先端は軟質部材である。これにより、固定の冷気遮蔽板と回動自在な回動冷気遮蔽手段が、扉開閉動作時に接触しても弾性変形して、より冷気漏れを遮蔽できる。
【００３２】
また本発明は、本実施例のように観音開き式の扉において扉と扉の隙間を一方の扉の内板に設けた回動自在な回転仕切体によって閉塞する扉構造のものだけではなく、観音開き式扉構造を持つが回転仕切体がなく中央の隙間をそれぞれの扉の枢支側の側面に設けたパッキンにより閉塞する構造にも適用できる。
【符号の説明】
【００３３】
２ａ  第一の扉（冷蔵室扉）
２ｂ  第二の扉（冷蔵室扉）
１０  回転仕切体
２２  冷気遮蔽板
２３  回動冷気遮蔽手段
２４  ガイド手段
２７  ガイド
３０  コイルばね（付勢手段）
【図１】
2013108706.tif 000003
【図２】
2013108706.tif 000004
【図３】
2013108706.tif 000005
【図４】
2013108706.tif 000006
【図５】
2013108706.tif 000007
【図６】
2013108706.tif 000008